(57)【要約】【課題】  極細同軸ケーブルアセンブリ１３の製造コストの増大を抑制しつつ、電気機器１５の使用中に極細同軸ケーブルアセンブリ１３に断線が生じるおそれを無くすこと。【解決手段】  電気機器１５に配線材として用いられ、多数の極細同軸ケーブル１７を束ねてなる極細同軸ケーブルアセンブリ１３において、  自身の束ね部分の最外層を形成する極細同軸ケーブル１７（最外層用極細同軸ケーブル１７Ａ）のねじりに対する機械的強度或いは応力緩和が、最外層の内側に位置する極細同軸ケーブル１７（内側用極細同軸ケーブル１７Ｂ）のねじりに対する機械的強度或いは応力緩和よりも大きくなるように構成されている。【選択図】      図１
2005259522.tif 000002
【特許請求の範囲】
【請求項１】
電気機器に配線材として用いられ、多数の極細同軸ケーブルを束ねてなる極細同軸ケーブルアセンブリにおいて、
自身の束ね部分の最外層を形成する前記極細同軸ケーブル（最外層用極細同軸ケーブル）のねじりに対する機械的強度或いは応力緩和が、前記最外層の内側に位置する前記極細同軸ケーブル（内側用極細同軸ケーブル）のねじりに対する機械的強度或いは応力緩和よりも大きくなるように構成されていることを特徴とする極細同軸ケーブルアセンブリ。
【請求項２】
前記最外層用極細同軸ケーブルにおける中心導体は、複数本の撚り線からなって、前記内側用極細同軸ケーブルにおける中心導体は、単線からなることを特徴とする請求項１に記載の極細同軸ケーブルアセンブリ。
【請求項３】
全ての前記極細同軸ケーブルにおける中心導体は、複数本の撚り線からなって、前記最外層用極細同軸ケーブルにおける前記中心導体の撚りピッチが、前記内側用極細同軸ケーブルにおける前記中心導体の撚りピッチよりも大きくなるように構成されていることを特徴する請求項１に記載の極細同軸ケーブルアセンブリ。
【請求項４】
前記最外層用極細同軸ケーブルにおける中心導体の材料の破断強さが、前記内側用極細同軸ケーブルにおける中心導体の材料の破断強さよりも大きくなるように構成されていることを特徴する請求項１から請求項３のうちのいずれかの請求項に記載の極細同軸ケーブルアセンブリ。
【請求項５】
前記最外層用極細同軸ケーブルにおける横巻き外部導体の素線径が、前記内側用極細同軸ケーブルにおける横巻き外部導体の素線径よりも大きくなるように構成されていることを特徴する請求項１から請求項４のうちのいずれかの請求項に記載の極細同軸ケーブルアセンブリ。
【請求項６】
前記最外層用極細同軸ケーブルにおける横巻き外部導体の撚りピッチが、前記内側用極細同軸ケーブルにおける横巻き外部導体の撚り線ピッチよりも大きくなるように構成されていることを特徴とする請求項１から請求項５のうちのいずれかの請求項に記載の極細同軸ケーブルアセンブリ。
【請求項７】
前記最外層用極細同軸ケーブルにおける横巻き外部導体の材料の破断強さが、前記内側用極細同軸ケーブルにおける横巻き外部導体の破断強さよりも大きくなるように構成されていることを特徴する請求項１から請求項６のうちのいずれかの請求項に記載の極細同軸ケーブルアセンブリ。
【請求項８】
多数の前記極細同軸ケーブルの一端部に設けられ、前記電気機器における第１電子部品に接続可能な第１コネクタと；
多数の前記極細同軸ケーブルの他端部に設けられ、前記電気機器における第２電子部品に接続可能な第２コネクタと；を具備してなることを特徴とする請求項１から請求項７のうちのいずれかの請求項に記載の極細同軸ケーブルアセンブリ。
【発明の詳細な説明】
【技術分野】
【０００１】
本発明は、携帯電話、デジタルカメラ、ノートパソコン等の電気機器に配線材として用いられる極細同軸ケーブルアセンブリに関する。
【背景技術】
【０００２】
携帯電話等の電気機器には、特許文献１に示すように、配線材としてフレキシブル回路基板が用いられてきた。一方、前記電気機器の液晶表示部の解像度等の向上に伴い、前記配線材が受けるノイズの影響が無視できくなって、外部から前記配線材をシールドする必要がある。そのため、前記フレキシブル回路基板に代わって、極細同軸ケーブルアセンブリが前記配線材として用いられるにようになってきた。
【０００３】
次に、一般的な極細同軸ケーブルアセンブリについて図３を参照して説明する。
【０００４】
ここで、図３（ａ）は、一般的な極細同軸ケーブルアセンブリの束ね部分の断面図であって、図３（ｂ）は、一般的な極細同軸ケーブルアセンブリにおける極細同軸ケーブルの断面図である。
【０００５】
図３（ａ）に示すように、前記配線材としての極細同軸ケーブルアセンブリ１は、同じ構成を有した多数の極細同軸ケーブル３を束ねてなるケーブルアセンブリである。また、図３（ｂ）に示すように、極細同軸ケーブル３は、中心導体５と、この中心導体５を覆う絶縁層７と、この絶縁層７の外周部に設けられかつ中心導体５をシールドする横巻き外部導体９と、この横巻き外部導体９の回りを覆うシース１１とを備えている。
【０００６】
なお、本発明に、関連する先行技術として特許文献１の他に、特許文献２、特許文献３がある。
【特許文献１】特開２００３−１４３２６７号公報
【特許文献２】特開２００３−１２３５５２号公報
【特許文献３】特開２００１−１２６５５２号公報
【発明の開示】
【発明が解決しようとする課題】
【０００７】
ところで、近年、前記携帯電話の前記液晶表示部分等、前記電気機器の可動部分の動作も複雑になっており、前記電気機器の使用時に極細同軸ケーブルアセンブリ１の束ね部分に曲げモーメントの他に、ねじりモーメントが作用することがある。そのため、前記電気機器の可動部分の回転角等が大きくなって、極細同軸ケーブルアセンブリ１の束ね部分に大きなねじりモーメントが作用すると、前記電気機器の使用中に、極細同軸ケーブルアセンブリ１に部分的な断線が生じるおそれがある。一方、極細同軸ケーブルアセンブリ１に断線が生じないように、極細同軸ケーブルアセンブリ１における全ての極細同軸ケーブル３にねじりに対しする十分に大きな機械的強度を持たせると、極細同軸ケーブルアセンブリ１の製造コストが高くなる。
【課題を解決するための手段】
【０００８】
請求項１に記載の発明にあっては、電気機器に配線材として用いられ、多数の極細同軸ケーブルを束ねてなる極細同軸ケーブルアセンブリにおいて、
自身の束ね部分の最外層を形成する前記極細同軸ケーブル（最外層用極細同軸ケーブル）のねじりに対する機械的強度或いは応力緩和が、前記最外層の内側に位置する前記極細同軸ケーブル（内側用極細同軸ケーブル）のねじりに対する機械的強度或いは応力緩和よりも大きくなるように構成されていることを特徴とする。
【０００９】
なお、前記束ね部分は、前記極細同軸ケーブルアセンブリの大部分であっても、僅かな部分であっても差し支えない。
【００１０】
ここで、請求項１に記載の発明は、図３に示すような同じ構成を有した多数の極細同軸ケーブル３を束ねてなる極細同軸ケーブルアセンブリ１の束ね部分に大きなねじりモーメントが作用した場合に、極細同軸ケーブルアセンブリ１の束ね部分の最外層を形成する極細同軸ケーブル３（最外層用極細同軸ケーブル３Ａ）が、前記最外層の内側に位置する極細同軸ケーブル３（内側用極細同軸ケーブル３Ｂ）よりも断線を引き起こしやすいという、新規な知見に基づくものである。この新規な知見は、本願の発明者が極細同軸ケーブルアセンブリ１に対してねじり試験を行うことによって得られたものである。
【００１１】
また、新規な知見についての現象が生じるのは、次のような理由による。即ち、極細同軸ケーブルアセンブリ１の束ね部分の各極細同軸ケーブル３に作用するねじり応力は、極細同軸ケーブルアセンブリ１の束ね部分の中心からの距離に依存しており、極細同軸ケーブルアセンブリ１の束ね部分の中心から最も離れた最外層用極細同軸ケーブル３Ａに最も大きなねじり応力が作用し、極細同軸ケーブルアセンブリ１の束ね部分の中心に近くなるほど、極細同軸ケーブル３に作用するねじり応力は緩和されることによると考えられる。
【００１２】
請求項１に記載の発明特定事項によると、前記最外層用極細同軸ケーブルのねじりに対する機械的強度或いは応力緩和を前記内側用極細同軸ケーブルのねじりに対する機械的強度或いは応力緩和よりも大きくしたため、大きなねじりモーメントによって断線を引き起こしやすい傾向にある、前記最外層用極細同軸ケーブルのみにねじりに対する十分に大きな機械的強度を持たせることができる。これにより、全ての前記極細同軸ケーブルにねじりに対する大きな機械的強度を持たせることなく、前記極細同軸ケーブルアセンブリ全体のねじりに対する機械的強度或いは応力緩和を十分なものにすることができる。
【００１３】
請求項２に記載の発明にあっては、請求項１に記載の発明特定事項の他に、前記最外層用極細同軸ケーブルにおける中心導体は、複数本の撚り線からなって、前記内側用極細同軸ケーブルにおける中心導体は、単線からなることを特徴とする。
【００１４】
請求項２に記載の発明特定事項によると、請求項１に記載の発明特定事項による作用の他に、前記最外層用極細同軸ケーブルにおける中心導体は、複数本の撚り線からなって、前記内側用極細同軸ケーブルにおける中心導体は、単線からなるため、前記最外層用極細同軸ケーブルのねじりに対する応力緩和を前記内側用極細同軸ケーブルのねじりに対する応力緩和よりも大きくすることができる。
【００１５】
請求項３に記載の発明にあっては、請求項１に記載の発明特定事項の他に、全ての前記極細同軸ケーブルにおける中心導体は、複数本の撚り線からなって、前記最外層用極細同軸ケーブルにおける前記中心導体の撚りピッチが、前記内側用極細同軸ケーブルにおける前記中心導体の撚りピッチよりも大きくなるように構成されていることを特徴する。
【００１６】
請求項３に記載の発明特定事項によると、請求項１に記載の発明特定事項による作用の他に、前記最外層用極細同軸ケーブルにおける前記中心導体の撚りピッチを前記内側用極細同軸ケーブルにおける前記中心導体の撚りピッチよりも大きくしたため、前記最外層用極細同軸ケーブルのねじりに対する応力緩和を前記内側用極細同軸ケーブルのねじりに対する応力緩和よりも大きくすることができる。
【００１７】
請求項４に記載の発明にあっては、請求項１から請求項３のうちのいずれかの請求項に記載の発明特定事項の他に、前記最外層用極細同軸ケーブルにおける中心導体の材料の破断強さが、前記内側用極細同軸ケーブルにおける中心導体の材料の破断強さよりも大きくなるように構成されていることを特徴する。
【００１８】
請求項４に記載の発明特定事項によると、請求項１から請求項３のうちのいずれかの請求項に記載の発明特定事項による作用の他に、前記最外層用極細同軸ケーブルにおける中心導体の材料の破断強さを前記内側用極細同軸ケーブルにおける中心導体の材料の破断強さよりも大きくしたため、前記最外層用極細同軸ケーブルのねじりに対する機械的強度を前記内側用極細同軸ケーブルのねじりに対する機械的強度よりも大きくすることができる。
【００１９】
請求項５に記載の発明にあっては、請求項１から請求項４のうちのいずれかの請求項に記載の発明特定事項の他に、前記最外層用極細同軸ケーブルにおける横巻き外部導体の素線径が、前記内側用極細同軸ケーブルにおける横巻き外部導体の素線径よりも大きくなるように構成されていることを特徴する。
【００２０】
請求項５に記載の発明特定事項によると、請求項１から請求項４のうちのいずれかの請求項に記載の発明特定事項による作用の他に、前記最外層用極細同軸ケーブルにおける横巻き外部導体の素線径を前記内側用極細同軸ケーブルにおける横巻き外部導体の素線径よりも大きくしたため、前記最外層用極細同軸ケーブルのねじりに対する機械的強度を前記内側用極細同軸ケーブルのねじりに対する機械的強度よりも大きくすることができる。
【００２１】
請求項６に記載の発明にあっては、請求項１から請求項５のうちのいずれかの請求項に記載の発明特定事項の他に、前記最外層用極細同軸ケーブルにおける横巻き外部導体の撚りピッチが、前記内側用極細同軸ケーブルにおける横巻き外部導体の撚り線ピッチよりも大きくなるように構成されていることを特徴とする。
【００２２】
請求項６に記載の発明特定事項によると、請求項１から請求項５のうちのいずれかの請求項に記載の発明特定事項による作用の他に、前記最外層用極細同軸ケーブルにおける横巻き外部導体の撚りピッチを前記内側用極細同軸ケーブルにおける横巻き外部導体の撚り線ピッチよりも大きくしたため、前記最外層用極細同軸ケーブルのねじりに対する応力緩和を前記内側用極細同軸ケーブルのねじりに対する応力緩和よりも大きくすることができる。
【００２３】
請求項７に記載の発明にあっては、請求項１から請求項６のうちのいずれかの請求項に記載の発明特定事項の他に、前記最外層用極細同軸ケーブルにおける横巻き外部導体の材料の破断強さが、前記内側用極細同軸ケーブルにおける横巻き外部導体の破断強さよりも大きくなるように構成されていることを特徴する。
【００２４】
請求項７に記載の発明特定事項によると、請求項１から請求項６のうちのいずれかの請求項に記載の発明特定事項による作用の他に、前記最外層用極細同軸ケーブルにおける横巻き外部導体の材料の破断強さが、前記内側用極細同軸ケーブルにおける横巻き外部導体の破断強さよりも大きくしたため、前記最外層用極細同軸ケーブルのねじりに対する機械的強度を前記内側用極細同軸ケーブルのねじりに対する機械的強度よりも大きくすることができる。
【００２５】
請求項８に記載の発明にあっては、請求項１から請求項７のうちのいずれかの請求項に記載の発明特定事項の他に、多数の前記極細同軸ケーブルの一端部に設けられ、前記電気機器における第１電子部品に接続可能な第１コネクタと；
多数の前記極細同軸ケーブルの他端部に設けられ、前記電気機器における第２電子部品に接続可能な第２コネクタと；を具備してなることを特徴とする。
【００２６】
請求項８に記載の発明特定事項によると、請求項１から請求項７のうちのいずれかの請求項に記載の発明特定事項による作用と同様の作用を奏する。
【発明の効果】
【００２７】
請求項１から請求項８のうちのいずれかの請求項に記載の発明によれば、全ての前記極細同軸ケーブルにねじりに対する大きな機械的強度を持たせることなく、前記極細同軸ケーブルアセンブリ全体のねじりに対する機械的強度或いは応力緩和を十分なものにすることができるため、前記極細同軸ケーブルアセンブリの製造コストの増大を抑制しつつ、前記電気機器の使用中に前記極細同軸ケーブルアセンブリに断線が生じるおそれを無くすことができる。
【発明を実施するための最良の形態】
【００２８】
以下、本発明の最良の形態について図１及び図２を参照して説明する。
【００２９】
図１（ａ）は、本発明の最良の形態に係わる極細同軸ケーブルアセンブリの束ね部分の断面図であって、図１（ｂ）は、本発明の最良の形態に係わる極細同軸ケーブルアセンブリにおける最外層用極細同軸ケーブルの断面図であって、図１（ｃ）は、本発明の最良の形態に係わる極細同軸ケーブルアセンブリにおける内側用極細同軸ケーブルの断面図であって、図２は、本発明の最良の形態に係わる極細同軸ケーブルアセンブリが携帯電話に用いられた状態を示す斜視図である。
【００３０】
図１（ａ）及び図２に示すように、本発明の最良の形態に係わる極細同軸ケーブルアセンブリ１３は、電気機器の一例である携帯電話１５に用いられ、多数の極細同軸ケーブル１７を束ねてなるケーブルアセンブリである。なお、極細同軸ケーブルアセンブリ１３の具体的な構成について説明する前に、携帯電話１５の構成について簡単に説明する。
【００３１】
図２に示すように、携帯電話１５は、第１筐体１９と、第２筐体２１と、第１筐体１９と第２筐体２１を連結するヒンジ部２３とを具備しており、第２筐体２１は、ヒンジ部２３によって第１筐体１９に対して２つの回転軸心Ｓ１，Ｓ２を中心として回転可能である。また、第１筐体１９内には、第１電子部品としての第１基板２５が設けられており、第２筐体２１内には、第２電子部品としての第２基板２７が設けられてあって、第２基板２７には、液晶表示部３１が接続してある。ここで、第２筐体２１が回転軸心Ｓ２を中心として回転すると、極細同軸ケーブルアセンブリ１３の束ね部分にねじりモーメントが作用するようになっている。
【００３２】
次に、本発明の本発明の最良の形態に係わる極細同軸ケーブルアセンブリ１３の具体的な構成について説明する。
【００３３】
図１（ａ）及び図２に示すように、本発明の最良の形態に係わる極細同軸ケーブルアセンブリ１３は、前述のように多数の極細同軸ケーブル１７を束ねてあって、多数の極細同軸ケーブル１７の一端部には、第１基板２５に接続可能な第１コネクタ３１が設けられており、多数の極細同軸ケーブル１７の他端部には、第２基板２７に接続可能な第２コネクタ３３が設けられている。
【００３４】
図１（ｂ）（ｃ）に示すように、極細同軸ケーブル１７のケーブル径は、本発明の最良の形態にあっては、０．３ｍｍ又は０．３８ｍｍであって、極細同軸ケーブル１７は、中心導体３５と、この中心導体３５を覆う絶縁層３７と、この絶縁層３７の外周部に設けられかつ中心導体３５シールドする横巻き外部導体３９と、この横巻き外部導体３９の回りを覆うシース４１とを備えている。ここで、絶縁層３７は、例えばＰＦＡ，ＦＥＰ，ＥＴＦＥ等のフッ素系樹脂により構成され、シース４１は、例えばＰＦＡ，ＦＥＰ，ＥＴＦＥ等のフッ素系樹脂により構成される。
【００３５】
また、極細同軸ケーブルアセンブリ１３の束ね部分の最外層を形成する極細同軸ケーブル１７（最外層用極細同軸ケーブル１７Ａ）のねじりに対する機械的強度或いは応力緩和は、前記最外層の内側に位置する極細同軸ケーブル１７（内側用極細同軸ケーブル１７Ｂ）のねじりに対する機械的強度或いは応力緩和よりも大きくなるようなっている（本発明の最良の形態の要部）。
【００３６】
即ち、最外層用極細同軸ケーブル１７Ａにおける中心導体３５は、複数本の撚り線４３からなるのに対して、内側用極細同軸ケーブル１７Ｂにおける中心導体３５は、単線からなっている（機械的強度調整手段１）。なお、前記機械的強度調整手段１の代わりに、全ての極細同軸ケーブル１７における中心導体３５は、複数本の撚り線４３からなって、最外層用極細同軸ケーブル１７Ａにおける中心導体３５の撚りピッチを内側用極細同軸ケーブル１７Ｂにおける中心導体３５の撚りピッチよりも大きくなるように構成されるようにしてもよい（機械的強度調整手段２）。また、最外層用極細同軸ケーブル１７Ａにおける中心導体３５の材料の破断強さは、内側用極細同軸ケーブル１７Ｂにおける中心導体３５の材料の破断強さよりも大きくなるように構成されている（機械的強度調整手段３）。
【００３７】
最外層用極細同軸ケーブル１７Ａにおける横巻き外部導体３９の素線径が、内側用極細同軸ケーブル１７Ｂにおける横巻き外部導体３９の素線径よりも大きくなるように構成されている（機械的強度調整手段４）。また、最外層用極細同軸ケーブル１７Ａにおける横巻き外部導体３９の撚りピッチが、内側用極細同軸ケーブル１７Ｂにおける横巻き外部導体３９の撚り線ピッチよりも大きくなるように構成されている（機械的強度調整手段５）。更に、最外層用極細同軸ケーブル１７Ａにおける横巻き外部導体３９の材料の破断強さが、内側用極細同軸ケーブル１７Ｂにおける横巻き外部導体３９の破断強さよりも大きくなるように構成されている（機械的強度調整手段６）。
【００３８】
ここで、本発明の最良の形態の要部は、図３に示すような同じ構成を有した多数の極細同軸ケーブル３を束ねてなる極細同軸ケーブルアセンブリ１の束ね部分に大きなねじりモーメントが作用した場合に、極細同軸ケーブルアセンブリ１の束ね部分の最外層を形成する極細同軸ケーブル３（最外層用極細同軸ケーブル３Ａ）が、前記最外層の内側に位置する極細同軸ケーブル３（内側用極細同軸ケーブル３Ｂ）よりも断線を引き起こしやすいという、新規な知見に基づくものである。この新規な知見は、本願の発明者が極細同軸ケーブルアセンブリ１に対してねじり試験を行うことによって得られたものである。
【００３９】
また、新規な知見についての現象が生じるのは、次のような理由による。即ち、極細同軸ケーブルアセンブリ１の束ね部分の各極細同軸ケーブル３に作用するねじり応力は、極細同軸ケーブルアセンブリ１の束ね部分の中心からの距離に依存しており、極細同軸ケーブルアセンブリ１の束ね部分の中心から最も離れた最外層用極細同軸ケーブル３Ａに最も大きなねじり応力が作用し、極細同軸ケーブルアセンブリ１の束ね部分の中心に近くなるほど、極細同軸ケーブル３に作用するねじり応力は緩和されることによると考えられる。
【００４０】
次に、本発明の最良の形態に係わる作用及び効果について説明する。
【００４１】
最外層用極細同軸ケーブル１７Ａのねじりに対する機械的強度或いは応力緩和を内側用極細同軸ケーブル１７Ｂのねじりに対する機械的強度或いは応力緩和よりも大きくしたため、大きなねじりモーメントによって断線を引き起こしやすい傾向にある、最外層用極細同軸ケーブルのみにねじりに対する十分に大きな機械的強度或いは応力緩和を持たせることができる。これにより、全ての極細同軸ケーブル１７にねじりに対する大きな機械的強度を持たせることなく、極細同軸ケーブルアセンブリ１３全体のねじりに対する機械的強度或いは応力緩和を十分なものにすることができる。
【００４２】
従って、本発明の最良の形態によれば、極細同軸ケーブルアセンブリ１３の製造コストの増大を抑制しつつ、携帯電話１５の使用中に極細同軸ケーブルアセンブリ１３に断線が生じるおそれを無くすことができる。
【００４３】
なお、本発明は、前述の発明の最良の形態の説明に限るものではなく、例えば、機械的強度調整手段１〜６を全て備えることなく、機械的強度調整手段１〜６のうちいずれかの機械的調整手段を備えるようにしたり、極細同軸ケーブルアセンブリ１３を携帯電話１５以外の電気機器に用いるようにしたりする等、適宜の変更を行うことにより、その他種々の態様で実施可能である。
【図面の簡単な説明】
【００４４】
【図１】図１（ａ）は、本発明の最良の形態に係わる極細同軸ケーブルアセンブリの束ね部分の断面図であって、図１（ｂ）は、本発明の最良の形態に係わる極細同軸ケーブルアセンブリにおける最外層用極細同軸ケーブルの断面図であって、図１（ｃ）は、本発明の最良の形態に係わる極細同軸ケーブルアセンブリにおける内側用極細同軸ケーブルの断面図である。
【図２】本発明の最良の形態に係わる極細同軸ケーブルアセンブリが携帯電話に用いられた状態を示す斜視図である。
【図３】図３（ａ）は、一般的な極細同軸ケーブルアセンブリの束ね部分の断面図であって、図３（ｂ）は、一般的な極細同軸ケーブルアセンブリにおける極細同軸ケーブルの断面図である。
【符号の説明】
【００４５】
１          極細同軸ケーブルアセンブリ
３          極細同軸ケーブル
３Ａ        最外層用極細同軸ケーブル
３Ｂ        内側用極細同軸ケーブル
１３        極細同軸ケーブルアセンブリ
１５        携帯電話
１７        極細同軸ケーブル
１７Ａ      最外層用極細同軸ケーブル
１７Ｂ      内側用極細同軸ケーブル
１９        第１筐体
２１        第２筐体
２３        ヒンジ部
２５        第１基板
２７        第２基板
２９        液晶表示部
３１        第１コネクタ
３３        第２コネクタ
３５        中心導体
３７        絶縁層
３９        外部導体
４１        シース
【図１】
2005259522.tif 000003
【図２】
2005259522.tif 000004
【図３】
2005259522.tif 000005